(57)【特許請求の範囲】
【請求項１】
鍵盤シャーシと、この鍵盤シャーシ上に上下方向に回動可能に配列された白鍵および黒鍵からなる複数の鍵と、前記鍵盤シャーシ上に前記複数の鍵の配列方向に沿って配置され、押鍵された前記鍵の押し込み力を検出するアフタータッチ用の感圧センサとを備え、通常の押鍵後、更に押鍵された前記鍵の押し込み力を前記感圧センサで検出し、この検出結果に基づいて発音中の音に効果を付与する鍵盤装置において、
前記感圧センサに対応する箇所の前記複数の鍵の各下端部には、前記鍵の押し込み力に応じて前記感圧センサに対する押圧面積を変化させるセンサ押圧部が形成されており、
前記感圧センサは、前記鍵の押し込み力を電気抵抗値として検出する構成で、前記白鍵に対応する箇所の電気抵抗が、前記黒鍵に対応する箇所の電気抵抗よりも高く形成されていることを特徴とする鍵盤装置。
【請求項２】
鍵盤シャーシと、この鍵盤シャーシ上に上下方向に回動可能に配列された白鍵および黒鍵からなる複数の鍵と、前記鍵盤シャーシ上に前記複数の鍵の配列方向に沿って配置され、押鍵された前記鍵の押し込み力を検出するアフタータッチ用の感圧センサとを備え、通常の押鍵後、更に押鍵された前記鍵の押し込み力を前記感圧センサで検出し、この検出結果に基づいて発音中の音に効果を付与する鍵盤装置において、
前記感圧センサに対応する箇所の前記複数の鍵の各下端部には、前記鍵の押し込み力に応じて前記感圧センサに対する押圧面積を変化させるセンサ押圧部が形成されており、
前記複数の鍵のうち、前記白鍵に形成された前記センサ押圧部は、緩やかな傾斜の山形状に形成され、前記黒鍵に形成された前記センサ押圧部は、前記白鍵の前記センサ押圧部よりも急な傾斜の山形状に形成されていることを特徴とする鍵盤装置。
【発明の詳細な説明】
【０００１】
【発明の属する技術分野】
この発明は、電子ピアノなどの鍵盤楽器における鍵盤装置に関する。
【０００２】
【従来の技術】
従来、電子ピアノなどの電子鍵盤楽器においては、通常の押鍵後、更に鍵を押し込む力に応じて、音高や音色、音量などを変化させ、発音中の音に各種の効果を付与し、音の表現力を高めるアフタータッチ機能を有するものがある。
図９〜図１１はその一例を示した図である。この電子鍵盤楽器は、楽器ケース内に組み込まれる鍵盤シャーシ１と、この鍵盤シャーシ１上に上下方向に回動可能に取り付けられた合成樹脂製の複数の白鍵２および複数の黒鍵３と、これら複数の鍵２、３にそれぞれ対応して配置され、押鍵時に各鍵２、３のスイッチ押圧部４により押圧されるゴムスイッチ５と、押鍵後に更に各鍵２、３が押し込まれる力を検出するアフタータッチ用の感圧センサ６とを備えている。
【０００３】
複数の鍵２、３のうち、白鍵２は、その下面側が開放された中空状に形成され、その後部（図９では右側部）の下部が鍵盤シャーシ１の後端部上に設けられた鍵支持部７に軸８により上下方向に回動自在に取り付けられている。また、鍵支持部７の前側近傍（図９では左側近傍）における白鍵２と鍵盤シャーシ１との間には、白鍵２を上方に付勢するコイルばね９が配置されている。この状態では、白鍵２の前側部（図９では左側部）に設けられたＬ字状のストッパ片１０が鍵盤シャーシ１のバカ孔１ａを通して鍵盤シャーシ１の下面に設けられたフェルトなどの上限ストッパ１１に当接し、これにより白鍵２が所定の上限位置（初期位置）に位置規制されている。また、上限ストッパ１１の近傍に位置する鍵盤シャーシ１上には、鍵２の横振れを防ぐ鍵ガイド部１２が設けられている。なお、黒鍵３は、白鍵２よりも全体の長さが短く、かつ高さが高く形成されており、これ以外は白鍵２と同じ構成で、鍵盤シャーシ１上に設けられている。この場合、白鍵２と黒鍵３とは、その各長さが異なるため、各先端部（図９では左端部）におけるモーメントが白鍵２と黒鍵３とで異なっている。
【０００４】
また、ゴムスイッチ５は、各鍵２、３にそれぞれ対応する弾性変形可能な２組の膨出ゴム部５ａを備え、これら膨出ゴム部５ａが鍵盤シャーシ１の中間部の下面に設けられた回路基板１３上に配置され、この状態で各膨出ゴム部５ａが鍵盤シャーシ１の開口部１ｂを通して上方に突出している。すなわち、このゴムスイッチ５は、各膨出ゴム部５ａ内にそれぞれ可動接点が設けられ、これら可動接点に対応する回路基板１２上にそれぞれ固定接点が設けられ、各膨出ゴム部５ａが各鍵２、３の内面に形成された２つのスイッチ押圧部４によりそれぞれ押圧されると、各膨出ゴム部５ａが弾性変形して各可動接点が各固定接点に時間差をもって接触し、これにより押鍵された鍵２、３に対応するスイッチ信号を出力するように構成されている。
【０００５】
アフタータッチ用の感圧センサ６は、押鍵された鍵２、３の各スイッチ押圧部４によりゴムスイッチ５が押圧された後、更に鍵２、３が押し込まれる力（感圧センサ６を押圧する力）を検出するものであり、各上限ストッパ片１０の後側近傍（図９では右側近傍）に位置する鍵盤シャーシ１の上面に、図１１に示すように、各鍵２、３の配列方向に沿って設けられている。この感圧センサ６は、図１２（ａ）に示すように、基材１４上に電極板１５を配置し、この電極板１５上にスペーサ１６を介してセンサシート１７を配置し、このセンサシート１７上にフェルト１８を配置した構成で、全体が帯状に形成されている。
【０００６】
この場合、電極板１５は、図１２（ｂ）に示すように、一対の櫛歯状電極１５ａ、１５ｂを互いに接触しないように噛み合わせた構成になっている。また、これに対向するセンサシート１７の下面には、感圧層１７ａが設けられている。スペーサ１６は、電極板１５とセンサシート１７とのギャップを規制するとともに、電極板１５とセンサシート１７とを接着している。フェルト１８は、鍵２、３の下限ストッパの機能をも兼ね備えている。
この感圧センサ６では、鍵２、３によりフェルト１８を介してセンサシート１７が押圧されると、その押圧力に応じてセンサシート１７が撓み、その下面の感圧層１７ａが電極板１５の一対の電極１５ａ、１５ｂに跨って接触し、このときの接触面積と接触圧力の大きさに応じて一対の電極１５ａ、１５ｂ間の電気抵抗値が変化し、この電気抵抗値に応じた検出信号を出力することにより、鍵２、３の押し込み力、つまり感圧センサ６に対する押圧力を検出する。
【０００７】
このような電子鍵盤楽器では、押鍵しない状態のときには図９に示すように各コイルばね９により各鍵２、３が押し上げられ、各鍵２、３のストッパ片１０が鍵盤シャーシ１の上限ストッパ１１に当接し、これにより各鍵２、３が初期位置（上限位置）に位置規制されている。この状態で、各鍵２、３のうち、例えば白鍵２がコイルばね９のばね力に抗して押鍵されると、図１０に示すように、白鍵２が鍵支持部７の軸８を中心に下方に回動し、その白鍵２のスイッチ押圧部４がゴムスイッチ５の各膨出ゴム部５ａを順次弾性変形させて各可動接点を各固定接点に順次接触させ、これによりゴムスイッチ５がスイッチ信号を出力し、押鍵された白鍵２に応じた音を発する。この後、更に白鍵２が押し込まれると、感圧センサ６が白鍵２の下端部によって押圧されて感圧層１７ａが電極板１５に接触し、これにより感圧センサ６に対する押圧力（白鍵２の押し込み力）に応じて感圧センサ６の電気抵抗値が変化し、この電気抵抗値に応じた検出信号を出力し、この検出信号に基づいて、音高や音色、音量などを変化させ、発音中の音に各種の効果を付与し、音の表現力を高めている。なお、黒鍵３も、白鍵２と同様に動作する。
【０００８】
【発明が解決しようとする課題】
しかしながら、このような電子鍵盤楽器では、鍵２、３が押鍵されて発音を開始した後、更に鍵２、３が押し込まれて鍵２、３が感圧センサ６を押圧するときに、図１３に示すように、鍵２、３がその下面側に開放された中空状に形成されているので、鍵２、３の下端部つまり鍵２、３の両側壁の肉厚部分が感圧センサ６のフェルト１８を押圧することになり、このため鍵２、３による感圧センサ６の押圧面積が限られてしまい、感圧センサ６の感圧層１７ａが電極板１５の一対の電極１５ａ、１５ｂに接触する範囲が小さく一定となり、電気抵抗値の変化が少なく、感圧センサ６により充分な検出信号が得られないという問題がある。
なお、鍵２、３の各下端部に平坦な形状のセンサ押圧部を単に設けても、センサ押圧部の平面がフェルト１８を押圧するだけであるから、感圧センサ６に対する押圧面積が一定となり、電気抵抗値の変化が少なく、これによっても感圧センサ６により充分な検出信号が得られない。
【０００９】
この発明の課題は、感圧センサに対する鍵の押圧面積を押し込み力に応じて変化させ、感圧センサにより充分な検出信号が得られるようにすることである。
【００１０】
【課題を解決するための手段】
請求項１に記載の発明は、鍵盤シャーシと、この鍵盤シャーシ上に上下方向に回動可能に配列された白鍵および黒鍵からなる複数の鍵と、前記鍵盤シャーシ上に前記複数の鍵の配列方向に沿って配置され、押鍵された前記鍵の押し込み力を検出するアフタータッチ用の感圧センサとを備え、通常の押鍵後、更に押鍵された前記鍵の押し込み力を前記感圧センサで検出し、この検出結果に基づいて発音中の音に効果を付与する鍵盤装置において、前記感圧センサに対応する箇所の前記複数の鍵の各下端部には、前記鍵の押し込み力に応じて前記感圧センサに対する押圧面積を変化させるセンサ押圧部が形成されており、前記感圧センサは、前記鍵の押し込み力を電気抵抗値として検出する構成で、前記白鍵に対応する箇所の電気抵抗が、前記黒鍵に対応する箇所の電気抵抗よりも高く形成されていることを特徴とする。
この発明によれば、通常の押鍵後、更に押鍵された鍵が感圧センサを押圧するときに、鍵のセンサ押圧部が感圧センサを押圧するので、感圧センサに対するセンサ押圧部の押圧面積が鍵の押し込み力に応じて変化し、この押圧面積の変化に応じて感圧センサが検出信号を出力するため、感圧センサにより充分な検出信号を得ることができる。
しかも、白鍵と黒鍵とを同じ力で押鍵した際、白鍵と黒鍵とでそれらのモーメントの違いにより感圧センサに加わる押圧力に差が生じても、白鍵と黒鍵とに対応する感圧センサの電気抵抗の違いによって、白鍵と黒鍵とで感圧センサの電気抵抗値を同程度に補正することができ、これにより白鍵と黒鍵とで同程度の検出信号を得ることが可能になり、白鍵および黒鍵とも、発音中の音にほぼ同じ効果を付与することができ、回路構成の簡素化を図ることができる。
【００１１】
また、請求項２に記載の発明は、鍵盤シャーシと、この鍵盤シャーシ上に上下方向に回動可能に配列された白鍵および黒鍵からなる複数の鍵と、前記鍵盤シャーシ上に前記複数の鍵の配列方向に沿って配置され、押鍵された前記鍵の押し込み力を検出するアフタータッチ用の感圧センサとを備え、通常の押鍵後、更に押鍵された前記鍵の押し込み力を前記感圧センサで検出し、この検出結果に基づいて発音中の音に効果を付与する鍵盤装置において、前記感圧センサに対応する箇所の前記複数の鍵の各下端部には、前記鍵の押し込み力に応じて前記感圧センサに対する押圧面積を変化させるセンサ押圧部が形成されており、前記複数の鍵のうち、前記白鍵に形成された前記センサ押圧部は、緩やかな傾斜の山形状に形成され、前記黒鍵に形成された前記センサ押圧部は、前記白鍵の前記センサ押圧部よりも急な傾斜の山形状に形成されていることを特徴とする。
この発明によれば、請求項１に記載の発明と同じく、通常の押鍵後、更に押鍵された鍵が感圧センサを押圧するときに、鍵のセンサ押圧部が感圧センサを押圧するので、感圧センサに対するセンサ押圧部の押圧面積が鍵の押し込み力に応じて変化し、この押圧面積の変化に応じて感圧センサが検出信号を出力するため、感圧センサにより充分な検出信号を得ることができる。
しかも、白鍵と黒鍵とを同じ力で押鍵した際、白鍵と黒鍵とでそれらのモーメントの違いにより感圧センサに加わる押圧力に差が生じても、センサ押圧部の形状の違いによって、感圧センサに対する押圧面積を白鍵と黒鍵とで同程度に補正することができ、これにより白鍵と黒鍵とで同程度の検出信号を得ることが可能になり、白鍵および黒鍵とも、発音中の音に同程度の効果を付与することができ、回路構成の簡素化を図ることができる。
【００１２】
【発明の実施の形態】
［第１実施形態］
以下、図１〜図４を参照して、この発明の鍵盤装置の第１実施形態について説明する。なお、図９〜図１３に示された従来例と同一部分には同一符号を付し、その説明は省略する。
この鍵盤装置は、鍵２、３の各下端部にセンサ押圧部２０、２１を形成した以外は従来例と同じ構成になっている。すなわち、鍵２、３のうち、白鍵２のセンサ押圧部２０は、感圧センサ６に対応する箇所の白鍵２の下端部に、感圧センサ６に向けて突出する山形状に形成されている。また、黒鍵３のセンサ押圧部２１は、白鍵２のセンサ押圧部２０と同様、感圧センサ６に対応する箇所の黒鍵３の下端部に、感圧センサ６に向けて突出する山形状に形成されている。これら各センサ押圧部２０、２１は、その各先端がそれぞれ同じ大きさの円弧面に形成され、傾斜面も同じ形状で形成されている。この場合、センサ押圧部２０、２１の各傾斜面は、感圧センサ６を押圧する際、その押圧力が大きくなるに従って次第に押圧面積が増大するように、緩やかに湾曲した傾斜面に形成されていることが望ましい。
【００１３】
このような鍵盤装置では、従来例と同様、鍵２、３が押鍵されて発音を開始した後、更に鍵２、３が押し込まれて鍵２、３が感圧センサ６を押圧するときに、鍵２、３のセンサ押圧部２０、２１が感圧センサ６に向けて突出する山形状に形成されているので、感圧センサ６に対するセンサ押圧部２０、２１の押圧面積が鍵２、３の押し込み力に応じて変化し、その押圧面積の変化に応じて感圧センサ６の電気抵抗値が変化することにより、感圧センサ６が鍵２、３の押し込み力に応じた検出信号を出力することができ、これにより感圧センサ６により充分な検出信号を得ることができる。この場合、感圧センサ６の検出特性は、図４に示すように、センサ押圧部２０、２１が平坦な形状であると、曲線Ｂのように、押圧力に対して電気抵抗値が反比例的に下がる急なカーブの双曲線になり、押圧力に対する電気抵抗値が一部分で大きく変化するため、電気抵抗値により押圧力を精度良く検出することが難しいが、この実施形態のように、センサ押圧部２０、２１が山形状であると、曲線Ａのように、押圧力に対して電気抵抗値が反比例的に下がっても、曲線Ｂのような双曲線にならず、直線に近い曲線となり、押圧力に対する電気抵抗値が平均的に変化するため、電気抵抗値により押圧力を精度良く検出することができる。これにより、感圧センサ６で充分な検出信号を得ることができるので、この検出信号により発音中の音に各種の効果を良好に付与することができ、従来例のものよりも、より一層、音の表現力を高めることができる。
【００１４】
［第２実施形態］
次に、図５を参照して、この発明の鍵盤装置の第２実施形態について説明する。この場合には、図１〜図４に示された第１実施形態と同一部分には同一符号を付し、その説明は省略する。
この鍵盤装置は、鍵２、３の各下端部に形成されたセンサ押圧部２２、２３の形状が第１実施形態と異なり、これ以外は第１実施形態と同じ構成になっている。すなわち、鍵２、３のうち、白鍵２のセンサ押圧部２２は、第１実施形態と同様、感圧センサ６に対応する箇所の白鍵２の下端部に、感圧センサ６に向けて緩やかに突出する山形状に形成されている。黒鍵３のセンサ押圧部２３は、感圧センサ６に対応する箇所の黒鍵３の下端部に、感圧センサ６に向けて突出する山形状に形成されているが、その山形状が白鍵２のセンサ押圧部２２と異なっている。すなわち、黒鍵３のセンサ押圧部２３は、その先端が白鍵２のセンサ押圧部２２の円弧面よりも曲率半径の小さい円弧面に形成され、その傾斜面が白鍵２のセンサ押圧部２２の傾斜面よりも急な傾斜で形成されている。なお、この場合にも、センサ押圧部２２、２３の各傾斜面は、感圧センサ６を押圧する際、その押圧力が大きくなるに従って次第に押圧面積が増大するように、緩やかに湾曲した傾斜面に形成されている。
【００１５】
このような鍵盤装置では、第１実施形態と同様、鍵２、３が押鍵されて発音を開始した後、更に鍵２、３が押し込まれて鍵２、３が感圧センサ６を押圧するときに、鍵２、３のセンサ押圧部２２、２３が感圧センサ６に向けて突出する山形状に形成されているので、感圧センサ６に対するセンサ押圧部２２、２３の押圧面積が鍵２、３の押し込み力に応じて変化し、その押圧面積の変化に応じて感圧センサ６の電気抵抗値が変化することにより、感圧センサ６が鍵２、３の押し込み力に応じた検出信号を出力する。このとき、白鍵２と黒鍵３とが同じ力で押鍵されると、白鍵２と黒鍵３との各長さに応じてそれぞれのモーメントが異なることにより、感圧センサ６に加わる押圧力（押し込み力）に差が生じ、白鍵２よりも黒鍵３の押圧力が小さくなるが、黒鍵３のセンサ押圧部２３が白鍵２のセンサ押圧部２２よりも急な傾斜の山形状に形成されているため、その形状の違いによって、黒鍵３のセンサ押圧部２３による感圧センサ６の押圧面積と白鍵２による感圧センサ６の押圧面積とを同程度に補正することができ、このため白鍵２と黒鍵３とで電気抵抗値が同程度になり、白鍵２と黒鍵３とで同程度の検出信号を得ることができ、これにより白鍵２および黒鍵３とも、発音中の音にほぼ同じ効果を付与することができる。このため、白鍵２と黒鍵３との長さに応じて各検出信号を電気的に補正する必要がないので、回路構成の簡素化を図ることができる。
【００１６】
［第３実施形態］
次に、図６〜図８を参照して、この発明の鍵盤装置の第３実施形態について説明する。この場合にも、図１〜図４に示された第１実施形態、および図９〜図１３に示された従来例と同一部分には同一符号を付し、その説明は省略する。
この鍵盤装置は、感圧センサ２６が第１実施形態と異なり、これ以外は第１実施形態と同じ構成になっている。この感圧センサ２６は、第１実施形態と同様、鍵２、３の各下端部に同じ形状で形成された山形状のセンサ押圧部２０、２１に対応して鍵盤シャーシ１上に配置されている。この感圧センサ２６は、図７および図８に示すように、センサシート１７の感圧層２７が３層構造に形成され、かつ白鍵２と対応する箇所の感圧層２７の電気抵抗が黒鍵３と対応する箇所の感圧層２７の電気抵抗よりも高く形成されており、これら以外は第１実施形態および従来例と同じ構成になっている。
【００１７】
すなわち、感圧センサ１６の感圧層２７は、図８に示すように、電気抵抗の低い第１、第３感圧導電インク層２７ａ、２７ｃの間に電気抵抗の高い第２感圧導電インク層２７ｂを挾んだ３層構造に形成されている。この場合、白鍵２に対応する箇所の第２感圧導電インク層２７ｂは厚く形成され、その箇所の第１、第３感圧導電インク層２７ａ、２７ｃは薄く形成されており、これにより白鍵２に対応する箇所は電気抵抗が高く形成されている。また、黒鍵３に対応する箇所の第２感圧導電インク層２７ｂは薄く形成され、その箇所の第１、第３感圧導電インク層２７ａ、２７ｃは厚く形成されており、これにより黒鍵３に対応する箇所は電気抵抗が低く形成されている。なお、この感圧層２７は、全体の厚さが均一な厚さで形成されている。
【００１８】
このような鍵盤装置では、鍵２、３が押鍵されて発音を開始した後、更に鍵２、３が押し込まれて鍵２、３が感圧センサ２６を押圧するときに、鍵２、３のセンサ押圧部２０、２１が山形状に形成されているので、第１実施形態と同様、感圧センサ２６に対するセンサ押圧部２０、２１の押圧面積が鍵２、３の押し込み力に応じて変化し、その押圧面積の変化に応じて感圧センサ２６の電気抵抗値が変化することにより、感圧センサ２６が鍵２、３の押し込み力に応じた検出信号を出力する。このとき、白鍵２と黒鍵３とが同じ力で押鍵されると、白鍵２と黒鍵３の長さに応じてそれぞれのモーメントが異なることにより、感圧センサ２６に加わる押圧力（押し込み力）に差が生じ、白鍵２よりも黒鍵３の押圧面積が小さくなるが、白鍵２に対応する箇所の感圧層２７の電気抵抗が黒鍵３に対応する箇所の感圧層２７の電気抵抗よりも高く形成されているので、その電気抵抗の違いによって、白鍵２と黒鍵３とに対応する感圧センサの電気抵抗値を同程度に補正することができ、このため白鍵２と黒鍵３とで同程度の検出信号を得ることができ、白鍵２および黒鍵３とも、発音中の音にほぼ同じ効果を付与することができる。このため、第２実施形態と同様、白鍵２と黒鍵３との長さに応じて各検出信号を電気回路で補正する必要がないので、回路構成の簡素化を図ることができる。
【００１９】
なお、上記第３実施形態では、感圧センサ２６の感圧層２７を３層構造に形成したが、これに限らず、電気抵抗の低い感圧導電インク層と電気抵抗の高い感圧導電インク層とを積層させた２層構造でも良い。この場合においても、白鍵２と黒鍵３とにそれぞれ対応する箇所で、各感圧導電インク層の厚さを変えることにより、白鍵２に対応する箇所の感圧層の電気抵抗を黒鍵３に対応する箇所の感圧層の電気抵抗よりも高く形成すれば良い。
また、上記第１〜第３実施形態では、鍵２、３を鍵盤シャーシ１上に鍵支持部７の軸８により上下方向に回動可能に設け、コイルばね９により鍵２、３を上方に付勢する構造の鍵盤装置について述べたが、これに限らず、例えば、各鍵２、３に対応する箇所の鍵盤シャーシにハンマーアームを回動自在に取り付け、これら各ハンマーアームによって各鍵２、３にアクション荷重を付与することにより、押鍵時にアコースティックピアノの鍵タッチ感に近似した鍵タッチ感が得られるようにした鍵盤装置にも適用することができる。また、これに限らず、白鍵２および黒鍵３の各後部にそれぞれ薄肉部を形成し、これら薄肉部をヒンジ部として共通の連結部に連結形成することにより、各鍵２、３を一体に形成し、この状態で鍵盤シャーシ上に組み付けた一体鍵構造の簡易型の鍵盤装置にも適用することができる。
【００２０】
【発明の効果】
以上説明したように、この発明によれば、鍵盤シャーシ上に設けられたアフタータッチ用の感圧センサに対応する箇所の複数の鍵の各下端部に、鍵の押し込み力に応じて感圧センサに対する押圧面積が変化するセンサ押圧部を形成したので、通常の押鍵後、更に押鍵された鍵が感圧センサを押圧するときに、鍵のセンサ押圧部が感圧センサを押圧し、感圧センサに対するセンサ押圧部の押圧面積が鍵の押し込み力に応じて変化し、この押圧面積の変化に応じて感圧センサが検出信号を出力するため、感圧センサにより充分な検出信号を得ることができ、この検出信号により発音中の音に各種の効果を良好に付与することができ、これにより従来の鍵盤装置よりも、より一層、音の表現力を高めることができる。
【００２１】
この場合、複数の鍵のうち、白鍵のセンサ押圧部が緩やかな傾斜の山形状に形成され、黒鍵のセンサ押圧部が白鍵のセンサ押圧部よりも急な傾斜の山形状に形成されていることにより、白鍵と黒鍵とを同じ力で押鍵した際、白鍵と黒鍵とでそれらのモーメントの違いにより感圧センサに加わる押し込み力に差が生じても、センサ押圧部の形状の違いによって、感圧センサに対する押圧面積を白鍵と黒鍵とで同程度に補正することができ、これにより白鍵と黒鍵とで同程度の検出信号を得ることが可能になり、白鍵および黒鍵とも、発音中の音に同程度の効果を付与することができ、回路構成の簡素化を図ることができる。
また、白鍵に対応する箇所の感圧センサの電気抵抗を黒鍵に対応する箇所の電気抵抗よりも高く形成することにより、上記と同様、白鍵と黒鍵とを同じ力で押鍵した際、白鍵と黒鍵とでそれらのモーメントの違いにより感圧センサに加わる押し込み力に差が生じても、白鍵と黒鍵とに対応する感圧センサの電気抵抗の違いによって、白鍵と黒鍵とで感圧センサの電気抵抗値を同程度に補正することができ、これにより白鍵と黒鍵とで同程度の検出信号を得ることが可能になり、白鍵および黒鍵とも、発音中の音にほぼ同じ効果を付与することができ、回路構成の簡素化を図ることができる。
【図面の簡単な説明】
【図１】この発明の鍵盤装置の第１実施形態を示した断面図。
【図２】図１の要部の平面図。
【図３】図２のＡ−Ａ矢視における要部の拡大断面図。
【図４】図１の感圧センサの検出特性を示した図。
【図５】この発明の鍵盤装置の第２実施形態において主要部を示した拡大断面図。
【図６】この発明の鍵盤装置の第３実施形態を示した要部の平面図。
【図７】図６のＢ−Ｂ矢視における感圧センサの拡大断面図。
【図８】図６のＣ−Ｃ矢視における感圧層と鍵の対応関係を示した拡大断面図。
【図９】従来の鍵盤装置を示した非押鍵状態の断面図。
【図１０】図９の鍵盤装置における押鍵状態の断面図。
【図１１】図９の要部の平面図。
【図１２】図９の感圧センサを示し、（ａ）は図１１のＤ−Ｄ矢視における拡大断面図、（ｂ）はそのＥ−Ｅ矢視における断面図。
【図１３】図１１のＦ−Ｆ矢視における感圧センサと鍵の対応関係を示した要部の拡大断面図。
【符号の説明】
１  鍵盤シャーシ
２  白鍵
３  黒鍵
６、２６  感圧センサ
２０、２１、２２、２３  センサ押圧部
２７  感圧層
２７ａ、２７ｃ  電気抵抗の低い感圧導電インク層
２７ｂ  電気抵抗の高い感圧導電インク層
【図１】
0003704990.tif 000002
【図２】
0003704990.tif 000003
【図３】
0003704990.tif 000004
【図４】
0003704990.tif 000005
【図５】
0003704990.tif 000006
【図６】
0003704990.tif 000007
【図７】
0003704990.tif 000008
【図８】
0003704990.tif 000009
【図９】
0003704990.tif 000010
【図１０】
0003704990.tif 000011
【図１１】
0003704990.tif 000012
【図１２】
0003704990.tif 000013
【図１３】
0003704990.tif 000014